(57)【要約】【課題】作業者が頭部から発生する熱及び汗によって苦痛を感じないようにすることで、作業環境を改善するヘルメットを提供する。【解決手段】外観を成して、外部からの衝撃から着用者の頭部を保護するための帽体である外本体１０と、外本体１０の内面と着用者の頭部とが一定間隔をおいて離隔されるように、外本体１０の内面における着用者の頭部の周囲を保持するベルト状に設けられる内本体２０と、外本体１０と内本体２０との間に構成されるクッション材４０と、着用時に着用者の頭部とクッション材４０とが一定の隙間を有するようにする複数本の緩衝帯５０と、クッション材４０に挿入されて、内部から空気を排出する送風ファン７１と、送風ファン７１に外気を供給するために外本体１０の対応する位置に設けられた空気流出口８０とを含んでなることを特徴とする。【選択図】図２
2012140737.tif 000002
【特許請求の範囲】
【請求項１】
外部からの衝撃から着用者の頭部を保護するための帽体である外本体と、
前記外本体の内面と着用者の頭部とが一定間隔をおいて離隔されるように、前記外本体の内面における着用者の頭部の周囲を保持する内本体と、
前記外本体又は前記内本体の端部に設けられて、着用時に脱げることを防止するための着脱部材と、
空気流出口と、空気流入口とを有し、ヘルメット内部から空気を排出するダクトと、
前記ダクトに設けられた送風ファンと、
前記送風ファンの駆動のための電源として用いられるバッテリーを収容するバッテリー収納部とを含んでなることを特徴とするヘルメット。
【請求項２】
外観を成して、外部からの衝撃から着用者の頭部を保護するための帽体である外本体と、
前記外本体の内面と着用者の頭部とが一定間隔をおいて離隔されるように、前記外本体の内面における着用者の頭部の周囲を保持するベルト状に設けられる内本体と、
前記外本体又は前記内本体の端部に設けられて、着用時に脱げることを防止するための着脱部材と、
前記外本体と前記内本体との間に形成されるクッション材と、
前記内本体の周囲の対角状に両端を固定され、着用時に着用者の頭部と前記クッション材とが一定の隙間を有するようにする複数本の緩衝帯と、
前記緩衝帯を着用者の頭部に合わせて調節する調節部材と、
前記内部から空気を排出する送風ファンと、
前記送風ファンにより空気を排出するために前記外本体に設けられた空気流出口と、
前記送風ファンの駆動のための電源として用いられるバッテリーを収容するために、クッション材に挿入されるバッテリー収納部とを含んでなることを特徴とするヘルメット。
【請求項３】
前記内本体の前面の表面に多数の通気穴が形成されていることを特徴とする請求項１又は２に記載のヘルメット。
【請求項４】
前記送風ファンの前方には、該送風ファンが回転している状態において、着用者の髪の毛が該送風ファンに巻き込まれないように安全グリルが設けられていることを特徴とする請求項１ないし３いずれかに記載のヘルメット。
【請求項５】
前記外本体の表面に付着されて、前記送風ファンを制御するスイッチをさらに含んでなることを特徴とする請求項１ないし請求項４いずれかに記載のヘルメット。
【請求項６】
前記スイッチは、内部に可変抵抗または互いに異なる抵抗値を有する多数の抵抗を含み、回路の開閉以外に電流制御による前記送風ファンの速度制御が可能なことを特徴とする請求項１ないし請求項５いずれかに記載のヘルメット。
【請求項７】
前記送風ファンが、前記クッション材における着用者の両側頭部の位置に挿入される第１送風ファン及び第２送風ファンであり、
前記空気流出口が、前記第１送風ファン及び第２送風ファンに対応する位置にある前記外本体の表面に所定の高さで突出された形態で形成され、
前記バッテリー収納部が前記第１送風ファンと第２送風ファンとの間のクッション材に挿入されることを特徴とする請求項２乃至請求項６いずれかに記載のヘルメット。
【請求項８】
前記外本体の内面中央に沿って管状に形成されるダクトを備え、
前記空気流出口が前記ダクトの前後方向のうち一方に形成され、
前記空気流出口の他方に空気流入口が形成され、
前記送風ファンが、前記ダクトの管内に設けられ、内部の空気を前記空気流入口から前記空気流出口に送風するよう構成されることを特徴とする請求項１に記載のヘルメット。
【請求項９】
前記空気流入口は、管の下面に形成されたホールを通じて空気が流出されるように構成され、前記空気流出口は、前記外本体において露出された構造を有することを特徴とする請求項８に記載のヘルメット。
【請求項１０】
外観を成し気密性を有する表生地である外本体と、
該外本体との間がダクトとなるように気密性が確保された裏生地である内本体と、
前記外本体に着脱自在に付着されて外気を前記外本体と前記内本体との間の前記ダクトに供給する送風ファンと、
前記内本体の外側面に設けられ、前記送風ファンを駆動するためのバッテリーが収納されるバッテリーポケットと、
前記送風ファンによって前記ダクトに流入した外気を着用者の脇及び背中に供給するために、前記内本体を貫通して形成される多数の空気流入口と、を含んでなることを特徴とする送風ファンを備えたチョッキ。
【請求項１１】
前記バッテリーポケットに収納されるバッテリーは、充電式乾電池であることを特徴とする請求項１０に記載の送風ファンを備えたチョッキ。
【請求項１２】
前記外本体及び内本体の前面に構成され、前記着用者の前方に前記内本体及び外本体の一側と他側とを締結する締結部材をさらに含んでなることを特徴とする請求項９又は請求項１１に記載の送風ファンを備えたチョッキ。
【請求項１３】
前記締結部材は、ボタンまたはベルクロであることを特徴とする請求項１２に記載の送風ファンを備えたチョッキ。
【請求項１４】
前記内本体及び外本体は、ナノセラミックがコーティングされていることを特徴とする請求項１０ないし１３いずれかに記載の送風ファンを備えたチョッキ。
【発明の詳細な説明】
【技術分野】
【０００１】
本発明は、ヘルメットに関し、特に内部において通風が行われるようにして、頭部の快適感が維持されるようにしたヘルメット、及び、本発明は、チョッキに関し、特に内部において通風が行われるようにして、上半身の快適感が維持されるようにしたチョッキに関する。
【背景技術】
【０００２】
一般的に、建築現場、消防現場、その他の産業作業場などの常に危険に露出されている作業環境で働く勤労者の安全のために、ヘルメットの着用を義務化することがある。
【０００３】
このようなヘルメットは、落下物などの外部衝撃による危険から作業者を保護することができるように、一定以上の強度を確保しなければならないことはもちろん、着用した状態でも大きい不便が感じられないように軽量で製作されている。
【０００４】
以上のように製作されるヘルメットは、一定の強度を有する外面を形成する外皮と、この外皮の内部に設けられて、外皮の内面と着用者の頭部とを一定間隔をおいて離隔させる内皮とを含む。
【０００５】
また、一般的に、気温の高い夏季において室外で長時間活動するか、製鉄、製鋼、精錬、ゴム、陶磁器、紡織、製菓、造船、建築、道路工事などのような高温の環境で持続的に肉体労働をすれば、脱水症、熱疲労、熱痙攣などが起こる。
【０００６】
このように、体温が高くなった状態でその症状が続くと、体温調節機能に障害が生じて、急速に体温が上昇する熱射病に発展し、それによってひどい場合には、死亡にまで至るので、高温に長時間露出される場合には、労働者に対する特別な作業環境管理が必要であるが、ほとんど空調機を用いて周囲温度を下げる方法を使用している。
【先行技術文献】
【特許文献】
【０００７】
【特許文献１】特開２００６−９１８１号公報
【特許文献２】特開２０００−２３４２１３号公報
【特許文献３】特開２００３−３３６１２０号公報
【特許文献４】特開２００１−１７２８１６号公報
【発明の開示】
【発明が解決しようとする課題】
【０００８】
しかし、従来のヘルメットの内皮によって、着用者の頭部と外皮の内面とが離隔されて空間があっても、外皮そのものが半球状であるので、頭部から発生した熱気が自然に外部へ排出されることは容易ではない。
【０００９】
よって、着用者はヘルメットの着用による重みだけではなく、頭部から発生する熱気及び湿気が外部へ容易に排出されないことによる不快感によって、ヘルメットの着用をきらうことがあり、それによって安全事故の可能性が増加される問題があった。
【００１０】
即ち、頭部を安全に保護するために、ヘルメットの内部と頭部とを完全に密着した状態で固定させるが、かかる場合、ヘルメットの内部の通風が円滑に行われないだけではなく、クッション材の材質がスタイロフォーム、スポンジなどのように保温断熱の性質を有するものであるため、夏季に使用するときには、体温を急激に上昇させることになって、不快感を起こす。
【００１１】
また、ヘルメットを着用した後、頭部に発生する過度な熱気は、めまいや頭痛を誘発させ、ひどい場合、脱毛まで起こす問題があった。
【００１２】
本発明は、以上の問題を解決するためのものであって、ヘルメットの内部に送風ファンを備えて、作業者の頭部から発生する熱をヘルメットの外部へ排出させて、ヘルメット内の通風が円滑に行われるようにして、作業者が頭部から発生する熱及び汗によって苦痛を感じないようにすることで、作業環境を改善するようにしたヘルメットを提供することにその目的がある。
【００１３】
また、高温の作業環境における室内温度の制御には限界があり、室外においては周囲温度を制御することができないので、たいてい冷感チョッキを着用しているが、一般的な冷感チョッキは、通常のチョッキの内部にポケットを形成して、そのポケットに流体を受容した冷温パックを入れて、該冷温パックの熱伝導によって体温を正常に維持するようにしている。また一方、寒冷地の作業環境における温度の制御には限界があり、室外においては周囲温度を制御することがでないので、たいてい加熱式チョッキを着用しているが、一般的なチョッキは、通常のチョッキの内部にポケットを形成して、そのポケットにカイロ、発熱パック等を入れて、熱伝導によって体温を正常に維持するようにしている。
【００１４】
このように、通常のチョッキを用いることで、外部温度及び人体熱によって冷温パックが早い速度で周囲温度と同一になり、それによって頻繁に冷温パックを交換しなければならないわずらわしい問題があった。また、冷温パックと外部との温度差によってポケットに結露が生じて、その結露が冷房チョッキの着用者の衣服に染み込んで不快感を起こすことはもちろん、個人の衛生にも悪いという問題があった。加熱式チョッキをも同様である。
【００１５】
本発明は、上述のような問題を解決するためのものであって、外皮と内皮との間の空間に送風ファンを付設することによって、外部の冷たい空気を内皮の内側に流入させて脇及び背中へ流出することで、内部の温度を下げる又は上げるようにした送風ファンを備えたチョッキを提供することにその目的がある。
【課題を解決するための手段】
【００１６】
上記目的を達成するため、本発明は、外部からの衝撃から着用者の頭部を保護するための帽体である外本体と、前記外本体の内面と着用者の頭部とが一定間隔をおいて離隔されるように、前記外本体の内面における着用者の頭部の周囲を保持する内本体と、前記外本体又は前記内本体の端部に設けられて、着用時に脱げることを防止するための着脱部材と、空気流出口と、空気流入口とを有し、ヘルメット内部から外部に空気を排出するダクトと、前記ダクトに設けられた送風ファンと、前記送風ファンの駆動のための電源として用いられるバッテリーを収容するバッテリー収納部とを含んでなることを特徴とするヘルメットである。
【００１７】
また本発明は、外部からの衝撃から着用者の頭部を保護するための帽体である外本体と、前記外本体の内面と着用者の頭部とが一定間隔をおいて離隔されるように、前記外本体の内面における着用者の頭部の周囲を保持するベルト状に設けられる内本体と、前記外本体及び前記内本体の両端に設けられて、着用時に脱げることを防止するための着脱部材と、前記外本体と前記内本体との間に内部が空洞の略半球状で構成されるクッション材と、前記内本体の周囲の対角上に両端を固定され、着用時に着用者の頭部と前記クッション材とが一定の隙間を有するようにする複数本の緩衝帯と、前記外本体及び内本体の後面に構成されて、前記緩衝帯を着用者の頭部に合わせて調節する調節部材と、前記クッション材に挿入されて、内部から外部に空気を排出する送風ファンと、前記送風ファンから空気を排出するために前記外本体に設けられた空気流出口と、前記送風ファンの駆動のための電源として用いられるバッテリーを収容するために、クッション材に挿入されるバッテリー収納部とを含んでなることを特徴とするヘルメットである。
【００１８】
本発明は、前記内本体の前面の表面に多数の通気穴が形成されていることを特徴とするヘルメットである。
【００１９】
本発明は、前記送風ファンの前方には、該送風ファンが回転している状態において、着用者の髪の毛が該送風ファンに巻き込まれないように安全グリルが設けられていることを特徴とするヘルメットである。
【００２０】
本発明は、前記外本体の表面に付着されて、前記送風ファンを制御するスイッチをさらに含んでなることを特徴とするヘルメットである。
【００２１】
本発明は、前記スイッチは、内部に可変抵抗または互いに異なる抵抗値を有する多数の抵抗を含み、回路の開閉以外に電流制御による前記送風ファンの速度制御が可能なことを特徴とするヘルメットである。
【００２２】
本発明は、前記送風ファンが、前記クッション材における着用者の両側頭部の位置に挿入される第１送風ファン及び第２送風ファンであり、前記空気流出口が、前記第１送風ファン及び第２送風ファンに対応する位置にある前記外本体の表面に所定の高さで突出された形態で形成され、前記バッテリー収納部が前記第１送風ファンと第２送風ファンとの間のクッション材に挿入されることを特徴とするヘルメットである。
【００２３】
本発明は、前記外本体の内面中央に沿って管状に形成されるダクトを備え、前記空気流出口が前記ダクトの前後方向のうち一方に形成され、前記空気流出口の他方に空気流入口が形成され、前記送風ファンが、前記ダクトの管内に設けられ、前記空気流入口を通じて流入される空気を前記空気流出口に送風するよう構成されることを特徴とするヘルメットである。
【００２４】
本発明は、前記空気流入口は、管の下面に形成されたホールを通じて空気が流出されるように構成され、前記空気流出口は、前記外本体において露出された構造を有することを特徴とするヘルメットである。
【００２５】
また、上記目的を達成するため、本発明は、外観を成し気密性を有する表生地である外本体と、該外本体との間がダクトとなるように気密性が確保された裏生地である内本体と、前記外本体に着脱自在に付着されて外気を前記外本体と前記内本体との間の前記ダクトに供給する送風ファンと、前記内本体の外側面に設けられ、前記送風ファンを駆動するためのバッテリーが収納されるバッテリーポケットと、前記送風ファンによって前記ダクトに流入した外気を着用者の脇及び背中に供給するために、前記内本体を貫通して形成される多数の空気流入口と、を含んでなることを特徴とするチョッキである。
【００２６】
本発明は、前記バッテリーポケットに収納されるバッテリーは、充電式乾電池であることを特徴とするチョッキである。
【００２７】
本発明は、前記外本体及び内本体の前面に構成され、前記着用者の前方に前記内本体及び外本体の一側と他側とを締結する締結部材をさらに含んでなることを特徴とする送風ファンを備えたチョッキである。
【００２８】
本発明は、前記締結部材は、ボタンまたはベルクロであることを特徴とする送風ファンを備えたチョッキである。
【００２９】
本発明は、前記内本体及び外本体は、ナノセラミックがコーティングされていることを特徴とするチョッキである。
【００３０】
本発明によるチョッキにおいて、外本体、内本体、及び、これらの縫い合わせは気密性が確保されたものであるが、必ずしも厳密な気密性を要求されるものではなく、外本体及び内本体の間の空間にダクトが成立する程度の気密性で足りる。
【００３１】
チョッキとは、作業及び活動時に着用する作業服、レジャーウエア及びスポーツウエアのことであるが、前記チョッキとして、前記作業服、レジャーウエア又はスポーツウエアの内部及び外部に着用するジョッキー又はジャケットのような製品を使用しても良い。
【発明の効果】
【００３２】
本発明のヘルメットは、内部に送風ファンを備えて、作業者の頭部から発生する熱をヘルメットの外部へ排出させ、ヘルメット内の通風が円滑に行われるようにして、作業者が頭部から発生する熱及び汗によって苦痛を感じないようにすることで、作業環境を改善することができる。
【００３３】
ヘルメットを着用した後、頭部から発生する過度な熱気を効果的に排出することによって、作業時において熱及び汗によるめまいや頭痛を防止し、脱毛を未然に防止することができる。
【００３４】
ヘルメットの着用によって頭部から発生する熱気及び湿気が外部へ効果的に排出されるようにすることで、不快感によってヘルメットの着用を嫌うことを未然に防止して、安全事故の危険を減らすことができる。
【００３５】
空気流出口は、外本体の表面を貫通して、第１送風ファン及び第２送風ファンの駆動によって外気を取り入れるものであるが、表面よりも所定の高さで突出された形態で構成されるので、ヘルメットの内部に雨水が流入することを未然に防止することができる。
【００３６】
送風ファンをクッション材の側面に構成していることにより、両側で着用者の頭部の側部から上部へ全体的に外気を供給することで、より快適な雰囲気において安全に工事を進行することができる。
【００３７】
空気流出口を外本体の下部から横方向に突出させることにより、ヘルメットの内部に雨水が流入することを未然に防止することができる。
【００３８】
空気流入口がヘルメットの内部において着用者の頭頂部付近に向けられているため、効率的に着用者の頭部を冷却することができる。
【００３９】
チョッキは、外本体及び内本体との間を風路とし、内本体を貫通して空気流入口を形成し、送風ファンにより外部の冷たい空気を脇及び背中へ送風することで、内部の温度を下げ、不要な汗を流すことがなくなり、体力の消耗を抑制することができ、また汗がすぐ蒸発するので、汗匂いがなくなることはもちろん、汗もなどの汗による皮膚病を予防することにも役に立つ。
【００４０】
各種室内外の作業場、一般的な空気調和の不可能な空間、ビニールハウス、食堂のキッチンなどの作業場、登山、釣り、各種スポーツ運動などのレジャー活動のような作業及び活動時に着用する作業服、レジャーウエア及びスポーツウエアに、小型の送風ファンを付着して、人体と衣服との間に通風を発生させることで、作業時やレジャー活動及び運動時に生じる汗を蒸発させるとともに、汗の蒸発潜熱を奪って、人体の快適感を図ることができる。
【００４１】
また、送風ファン及び乾電池は、着脱式で付着されるので、送風ファン及び乾電池の両方を除去した後、汚染されたチョッキを洗濯すれば、洗濯が容易であるだけではなく、送風ファン及び乾電池の故障を未然に防止することもできる。
【図面の簡単な説明】
【００４２】
【図１】本発明の実施形態２に係るヘルメット１の外部を示した斜視図である。
【図２】同実施形態２に係るヘルメット１の内部を示した底面図である。
【図３】同実施形態２に係るヘルメット１の変形例の内部を示した底面図である。
【図４】本発明の実施形態２に係るヘルメット２０１を示した斜視図である。
【図５】同実施形態２に係るヘルメット２０１の側面断面を示した模式図である。
【図６】本発明の実施形態２の変形例に係るヘルメット３０１の側面を示した模式図である。
【図７】本発明の実施形態２の他の変形例に係るヘルメット３０１´の側面を示した模式図である。
【図８】本発明の実施形態３に係る送風ファンを備えたチョッキ４０１を概略的に示した正面図である。
【図９】同実施形態３に係る送風ファンを備えたチョッキ４０１を概略的に示した背面図である。
【発明を実施するための形態】
【００４３】
本発明の実施形態１に係るヘルメット１について図１〜図３を参照して説明する。
【００４４】
ヘルメット１は、図１〜図３に示したように、外観を成して、外部からの衝撃から着用者の頭部を保護するための帽体である外本体１０と、外本体１０の内面と着用者の頭部とが一定間隔をおいて離隔されるように、外本体１０の内面における着用者の頭部の周囲を保持するベルト状に設けられる内本体２０と、外本体１０又は内本体２０の両端に構成されて、着用時に脱げることを防止するための着脱部材３０と、外本体１０と内本体２０との間に内部が空洞の略半球状で構成されるクッション材４０と、内本体２０の周囲の対角上に両端を固定され、着用時に着用者の頭部とクッション材４０とが一定の隙間を有するようにする複数本の緩衝帯５０と、外本体１０及び内本体２０の後面に構成されて、緩衝帯５０を着用者の頭部に合わせて調節する調節部材６０と、クッション材４０における着用者の両側頭部の位置に挿入されて、内部の空気を外部に排出する第１送風ファン７１及び第２送風ファン７２と、第１送風ファン７１及び第２送風ファン７２に対応する位置に、外本体１０の表面に所定の高さで突出された形態で多数のホールからなる空気流出口８０と、第１送風ファン７１及び第２送風ファン７２の駆動のための電源として用いられるバッテリー９１を収容するために、第１送風ファン７１と第２送風ファン７２との間のクッション材４０に挿入されるバッテリー収納部９０とを含んでなる。第１送風ファン７１及び第２送風ファン７２は７．４V,２２００ｍAのリチウムイオン電池で駆動するものを用いたものである。
【００４５】
内本体２０は、本体１０の内側に設けられる内部が空洞の略半球状のクッション材４０の底部内周に設けられる頭部保持のためのベルト状部材である。この内本体２０が着用者の額から後頭部にかけて当接し、内本体２０に両端を固定される複数本の緩衝帯５０が着用者の頭頂部にかけて当接することにより、ヘルメット１は安定して着用されることとなる。
【００４６】
内本体２０の前面の表面、即ち、着用者の額の接する部分には多数の通気穴２１が形成されているが、これは着用者の額から流がれる汗を排出するとともに、第１送風ファン７１及び第２送風ファン７２から供給される空気が着用者により円滑に供給されるようにするためのものである。
【００４７】
外本体１０に固着されるクッション材４０と内本体２０との一定の間隔は、外本体１０に加わる衝撃が直接に着用者の頭部に伝達されないように緩衝作用をするものである。また、このクッション材４０と内本体２０との間の間隔は、ヘルメット１を着用した状態において、ヘルメット１０と外部との換気のための空気流路４１を形成している。
【００４８】
第１送風ファン７１及び第２送風ファン７２は、遠心ファンであって、第１送風ファン７１及び第２送風ファン７２の前方には、第１送風ファン７１及び第２送風ファン７２が回転している状態において、着用者の髪の毛が第１送風ファン７１及び第２送風ファン７２に挿入されないように安全グリル（図示略）が設けられても良い。
【００４９】
また、第１送風ファン７１及び第２送風ファン７２以外に、内本体２０の前面、即ち、着用者の額に外気を供給する送風ファンをさらに構成しても良い。
【００５０】
着脱部材３０は、一側と他側とがフック結合によって結合されている。
【００５１】
クッション材４０は、空気流出口８０から流入される空気が内部に円滑に流入され、ヘルメット１の内部の熱気が外部へ容易に排出されるように、多数の貫通穴が形成されて開放された形態となっている。
【００５２】
バッテリー収納部９０は、バッテリー９１を収容するための空間分だけクッション材４０の表面を開口して挿入することができ、バッテリー収納部９０の一面は、内部の空間においてバッテリー９１を着脱するように開口が形成されて、その開口にはバッテリーカバー９２が結合される。
【００５３】
電源としてのバッテリー９１は、リチウム−イオン（L−ion）またはリチウム−ポリマー（Li−polymer）バッテリーのようなモジュール化された２次電池をバッテリーパック（図示略）として、バッテリー収容部９０に着脱自在に結合する方法を使用しても良い。
【００５４】
この場合、バッテリーパックの充電は、専用充電器で行われ、バッテリーの容量を大型化することができるだけではなく、バッテリーの再充電が可能な回数を向上することによって、効率的にバッテリーを管理することができる。
【００５５】
バッテリー収納部９０にはバッテリーの電極端子と連結される接続端子（図示略）が備えられ、その接続端子と第１送風ファン７１及び第２送風ファン７２との間には閉回路を形成するための電線９２が連結される。
【００５６】
そのとき、電線９２の中間には、回路を開閉して第１送風ファン７１及び第２送風ファン７２の作動を制御するためのスイッチ９３を構成しても良く、第１送風ファン７１及び第２送風ファン７２がある程度の温度において自動に動作するように構成しても良い。
【００５７】
スイッチ９３は、回路の単純な開閉だけを行うオン・オフ形態で構成しても良いが、内部に可変抵抗または互いに異なる抵抗値を有する多数の抵抗を含み、回路の開閉以外に電流制御によって第１送風ファン７１及び第２送風ファン７２の速度を制御することができるように形成しても良い。
【００５８】
スイッチ９３は、外本体１０の表面に付着されて着用者が任意に操作することができる。
【００５９】
また、バッテリー９１は、図３に示したように、一般的な乾電池サイズである単３形乾電池または単３形のニッケル水素充電池を直列または並列に多数連結して使用することもできる。
【００６０】
また、本発明に係るヘルメット１は、それが用いられる作業場の種類に応じて、前面にフラッシュなどの照明（図示略）が設けられた形態で製作されても良く、そのときには、照明の作動のための電源としてバッテリー９１を共用に使用することができ、その照明は多数のLEDを光源として備える形態で備えられても良い。
【００６１】
内本体２０の一側に温度センサ（図示略）を備えて内部の温度が一定の温度以上になる場合には、第１送風ファン７１及び第２送風ファン７２が駆動されるようにする。そのとき、第１送風ファン７１及び第２送風ファン７２は、温度センサの検出結果に基づいて自動に駆動されても良く、着用者がスイッチ９３（図１参照）を換作することで駆動させても良い。
【００６２】
以下、図４〜図６を参照して、本発明の実施形態２に係るヘルメット２０１について説明する。ヘルメット１に対応する部分に２００番台の番号を付加し、共通する部分についてはヘルメット１の説明を援用する。また、図４〜図６はヘルメット１と同様な部品は省略したものである。
【００６３】
ヘルメット２０１は、ヘルメット１の外本体１０の表面に所定の高さで突出された多数のホールからなる空気流出口８０を設けるのではなく、図４及び図５に示すように、外本体２１０の内面中央に沿って管状に形成されるダクト２４２を設け、そのダクト２４２の一端に空気流出口２８０を設ける形態である。このダクト２４２は扁平な四角形が例示される。空気流出口２８０は外本体２１０の下部から横方向に外部に突出することにより外気を取り入れ、ダクト２４２の他端は外本体２１０内面の頭頂部付近にまで延長し、内部の空気を外部に送風するための空気流入口２８１となる。ダクト２４２内部には空気流出口２８０の付近に少なくとも１個の送風ファン２７１を設け、送風ファン２７１は空気流入口２８１から空気流出口２８０に空気を送る動力源となる。クッション材（クッション材４０に相当し図示略）は外本体１０及びダクト２４２の下側に設けられ、空気流入口２８１に相当する部分においてはクッション材２４０は切欠いて着用者に送風されるように形成される。これらの相違点を除けば、ヘルメット２００はヘルメット１と同一の構成を有する。ただし、適宜、クッション材４０、緩衝帯５０及び／又は調節部材６０は省略可能である。
【００６４】
実施形態２の変更形態であるヘルメット３０１について、図６を参照して説明する。
【００６５】
ヘルメット３０１においては、空気流入口３８１がヘルメット３０１の内部において着用者の頭頂部付近に向けられるよう、下方に開口している。また、スイッチ３９３が外本体２１０の側部に設けられている。
【００６６】
実施形態の他の変形例のヘルメット３０１´は、図７に示したように、金属または合成樹脂からなる外本体３１０´が形成され、外本体３１０´の内側に半球状のクッション材を兼ねる内本体３２０´、及び頭部に着用時に固定させる頭紐としての緩衝帯３５０´が設けられ、また着用時に脱げることを防止するあご紐としての着脱部材３３０´が設けられたものである。送風ファン、ダクト、空気流出口、空気流入口については、前記実施形態２の番号を３００番台として´を付し説明を援用した。
【００６７】
このようなヘルメット６１０は、安全事故が発生したとき、頭部を保護することによって、頭部に致命的な負傷を負うことを防止する効果がある。
【００６８】
以下、図８、図９を参照して、本発明の実施形態３に係る送風ファンを備えたチョッキ４００について説明する。送風ファンを備えたチョッキ４０１は、外観を成し気密性を有する表生地である外本体４１０と、外本体４１０との間がダクト４４２となるように気密性が確保された裏生地である内本体４２０と、外本体４１０に着脱自在に付着されて外気を外本体４１０と内本体４２０との間のダクト４４２に供給する送風ファン４７１と、内本体４２０の外側面に設けられ、送風ファン４７１を駆動するための乾電池４９１が収納される乾電池ポケット４９０と、送風ファン４７１によってダクト４４２に流入した外気を着用者の脇及び背中に供給するために、内本体４２０を貫通して形成される多数の空気流出口４８１と、を含んでなる。
【００６９】
送風ファン４７１は、外気を外本体４１０と内本体４２０との間のダクト４４２に流入させて、空気流出口４８１を通じて人体に冷たい空気を供給することで、人体から発生した熱によって上昇した内部の温度を下げる。
【００７０】
特に、人体の脇及び背中が汗ばみやすいことに容易に適用されるように、空気流出口４８１が内本体４２０を貫通して脇及び背中に対応して形成されている。
【００７１】
外本体４１０及び内本体４２０の前面に構成され、着用者の前方において外本体４１０及び内本体４２０の一側と他側とを締結する締結部材４９５をさらに含んでなるが、この締結部材４９５は、チャック、ボタン又はベルクロであっても良い。
【００７２】
外本体４１０及び内本体４２０は、その間に流入された外気が空気流出口４８１を除外したその他の領域に流出されることを防止するためにナノセラミックがコーティングされている。
【００７３】
送風ファン４７１は、着用者の後方に着脱自在に構成されるが、そのとき、送風ファン４７１の着脱が容易に行われるように、外本体４１０に送風ファン４７１を収納するポケット（図示略）を備えても良い。
【００７４】
送風ファン４７１の羽根部には安全グリル（図示略）が設けられ、また送風ファン４７１の駆動に必要な駆動源は、乾電池４９１が内装されたボックスを内本体４２０の内側に構成された乾電池４９１の内部に保管して送風ファン４７１を駆動させるようにする。
【００７５】
乾電池ポケット４９０は、送風ファンを備えたチョッキ４００の胸の周囲に形成されて、乾電池４９１の交換がより円滑に行えるようにする。
【００７６】
乾電池ポケット４９０に収納される乾電池４９１は、充電式乾電池であり、その残量が分かるように、乾電池４９１の表面には残量表示灯が構成されている。例えば、乾電池４９１の残量を目盛りの形態で表示して、着用者が使用時間を分かるようにする。
【００７７】
乾電池４９１には、作動オン・オフスイッチ（図示略）が形成されて、送風ファン４７１の作動を容易にする。また、乾電池４９１に付着して調節スイッチ（図示略）を設け、ダイヤル方式で電源の供給を調節して送風ファン４７１の速度を制御することとしてもよい。
【００７８】
本発明の実施形態１に係るヘルメット１は、以下のような効果がある。
【００７９】
内部の両側のそれぞれに第１送風ファン７１及び第２送風ファン７２を備えて、作業者の頭部から発生する熱をヘルメット１の外部へ排出させ、ヘルメット１内の通風が円滑に行われるようにして、作業者が頭部から発生する熱及び汗によって苦痛を感じないようにすることで、作業環境を改善することができる。
【００８０】
ヘルメット１を着用した後、頭部から発生する過度な熱気を効果的に排出することによって、作業時において熱及び汗によるめまいや頭痛を防止し、脱毛を未然に防止することができる。
【００８１】
ヘルメット１の着用によって頭部から発生する熱気及び湿気が外部へ効果的に排出されるようにすることで、不快感によってヘルメットの着用を嫌うことを未然に防止して、安全事故の危険を減らすことができる。
【００８２】
空気流出口８０は、外本体１０の表面を貫通して、第１送風ファン７１及び第２送風ファン７２の駆動によって空気を排出するものであるが、表面よりも所定の高さで突出された形態で構成されるので、ヘルメット１の内部に雨水が流入することを未然に防止することができる。
【００８３】
第１送風ファン７１及び第２送風ファン７２をクッション材４０の両側面に構成していることにより、両側で着用者の頭部の側部から上部へ全体的に外気を供給することで、より快適な雰囲気において安全に工事を進行することができる。
【００８４】
本発明の実施形態２に係るヘルメット２００は、以下のような効果がある。
【００８５】
空気流出口２８０を外本体２１０の下部から横方向に突出させることにより、ヘルメット１の内部に雨水が流入することを未然に防止することができる。
【００８６】
本発明の実施形態２の変形例に係るヘルメット２０１は、以下のような効果がある。
【００８７】
空気流出口２８１がヘルメット２０１の内部において着用者の頭頂部付近に向けられているため、効率的に着用者の頭部を冷却することができる。
【００８８】
本発明の実施形態３に係る送風ファンを備えたチョッキ４０１は、以下のような効果がある。
【００８９】
外本体４１０及び内本体４２０との間をダクト４４２とし、内本体４２０を貫通して空気流出口４８１を形成し、送風ファン４７１により外部の冷たい空気を脇及び背中へ送風することで、内部の温度を下げ、不要な汗を流すことがなくなり、体力の消耗を抑制することができ、また汗がすぐ蒸発するので、汗匂いがなくなることはもちろん、汗もなどの汗による皮膚病を予防することにも役に立つ。
【００９０】
即ち、各種室内外の作業場、一般的な空気調和の不可能な空間、ビニールハウス、食堂のキッチンなどの作業場、登山、釣り、各種スポーツ運動などのレジャー活動のような作業及び活動時に着用する作業服、レジャーウエア及びスポーツウエアに、小型の送風ファン４７１を付着して、人体と衣服との間に通風を発生させることで、作業時やレジャー活動及び運動時に生じる汗を蒸発させるとともに、汗の蒸発潜熱を奪って、人体の快適感を図ることができる。
【００９１】
また、送風ファン４７１及び乾電池４９１は、着脱式で付着されるので、送風ファン４７１及び乾電池４９１の両方を除去した後、汚染されたチョッキ４０１を洗濯すれば、洗濯が容易であるだけではなく、送風ファン４７１及び乾電池４９１の故障を未然に防止することもできる。
【００９２】
なお、上記実施例は、本発明の態様を実施するに当たって、本発明者により採用された技術の代表例である。これら技術は本発明を実施するための好ましい実施例の例示である。また、本技術分野に属する者は、本発明の開示に鑑みて、本発明の精神及び意図された要旨から離れることなく多数の改変・追加等が可能である。
【符号の説明】
【００９３】
１・・・ヘルメット
１０・・・外本体
２０・・・内本体
３０・・・着脱部材
４０・・・クッション材
５０・・・緩衝帯
６０・・・調節部材
７１・・・第１送風ファン
７２・・・第２送風ファン
８０・・・空気流出口
９０・・・バッテリー収納部
９１・・・バッテリー
２０１・・・ヘルメット
２１０・・・外本体
２４２・・・ダクト
２８０・・・空気流出口
２８１・・・空気流入口
２７１・・・送風ファン
４０１・・・チョッキ
４１０・・・外本体
４２０・・・内本体
４７１・・・送風ファン
４８０・・・空気通風口
４８１・・・空気流出口
４９１・・・乾電池
４９０・・・乾電池ポケット
４９５・・・締結部材
【図１】
2012140737.tif 000003
【図２】
2012140737.tif 000004
【図３】
2012140737.tif 000005
【図４】
2012140737.tif 000006
【図５】
2012140737.tif 000007
【図６】
2012140737.tif 000008
【図７】
2012140737.tif 000009
【図８】
2012140737.tif 000010
【図９】
2012140737.tif 000011